(57)【要約】 【課題】    擁壁の水抜きパイプに透水材・防砂材をずれたり、外れたりする事無く透水・防砂効果を損なうことなく、短時間の作業で確実に取り付け、固定したまま水抜きパイプの裏込処理施工を完了できる事【解決手段】    四角形の中央部に切り取り部を設けたコンクリート等の擁壁に強固に接着できるだけの粘着力を持たせた粘着テープにより、カンカン帽型に射出形成した樹脂製ネット状(カンカン帽天辺部)の凹み部に不織布型透水マットを挿入複合した二重構造の水抜きパイプ透水材・防砂材のツバ部分を、水抜きパイプ用透水材固定テープの円形の切り抜き部の周りに貼り付けた後、前記カンカン帽天辺部を水抜きパイプ内径に嵌め込み、残りの粘着部分を擁壁（コンクリート壁等）に直接貼り付け強固に固定する。【選択図】  図７
0003171014.tif 000002
【実用新案登録請求の範囲】
【請求項１】
擁壁中の水抜きパイプに水抜き用パイプ用透水材と、前記擁壁に前記水抜きパイプ用透水材を固定する為に設けられたテープとを有し、前記テープは前記水抜きパイプ用透水材を介して前記擁壁と前記水抜きパイプとを連通する切り取り部を備えたことを特徴とする水抜きパイプ用透水装置。
【考案の詳細な説明】
【技術分野】
【０００１】
擁壁等の水抜きパイプに土砂防止材である水抜きパイプ用透水材を取り付けるための専用固定装置に関するものである。
【背景技術】
【０００２】
擁壁には、土砂流出防止の為に水抜きパイプが必要とされ、水抜きパイプの背面(山側)には土砂流出防止の為に水抜き孔が必要であり、擁壁の耐久性の点からは、水抜き孔の整備として土砂による目詰まり防止は必要不可欠な重要な問題とされている。
擁壁の水抜きパイプの土砂による目詰まり防止として不織布型透水マットを１５０〜３００ｍｍ角にカットしコンクリート壁に直接釘で打ち付けて固定するという非常に取り付けに手間と作業時間を要する方法。或いは、カンカン帽型に射出形成した天辺部（樹脂製ネット状）とその中空部（カンカン帽の凹み部）とツバ部からなる水抜き透水材に前記不織布型透水マットを挿入複合した二重構造のアジャスター付き水抜きパイプ用透水材を水抜きパイプ内径に嵌め込み固定する短時間作業で簡単な取り付け方法が用いられてきたが、どちらの方法も、取り付け後の水抜きパイプの裏込処理施工中にずれたり、外れたりする問題があった。
【考案の概要】
【考案が解決しようとする課題】
【０００３】
擁壁の水抜きパイプに透水材・防砂材をずれたり、外れたりする事無く透水・防砂効果を損なうことなく、短時間の作業で確実に取り付け、固定したまま水抜きパイプの裏込処理施工を完了できる事を目的とする水抜きパイプ用透水材装置を提供する。
【課題を解決するための手段】
【０００４】
本考案の水抜きパイプ用透水装置は、擁壁中の水抜きパイプに水抜き用パイプ用透水材と、擁壁に水抜きパイプ用透水材を固定する為に設けられたテープとを有し、テープは水抜きパイプ用透水材を介して擁壁と水抜きパイプとを連通する切り取り部を備え、擁壁内の水はテープの切り取り部から水抜き用透水材を介して水抜きパイプから擁壁外へ排出させる。
【考案の効果】
【０００５】
請求項１に記載の本発明の水抜きパイプ用透水材固定装置は、粘着テープに切り抜き部分を設けることで、水抜きパイプ水抜透水材を固定できその後、擁壁等のコンクリート壁や、突出した水抜きパイプ等に直接貼り付け固定することで、水抜きパイプに透水材・防砂材をずれたり外れたりする事無く、透水効果・防砂効果を損なうことなく、短時間の作業で取り付け完了でき、確実に固定したまま水抜きパイプの裏込処理施工を完了できる。
【図面の簡単な説明】
【０００６】
【図１】本考案の水抜パイプ用透水材固定テープの実施例を示す正面図
【図２】同水抜パイプ用透水材固定テープの実施例を示す側面図
【図３】同水抜パイプ用透水材固定テープの実施例を示す上面図
【図４】水抜パイプ用透水材正面図
【図５】水抜パイプ用透水材側面図
【図６】本考案の水抜パイプ用透水材固定テープ使用例を示す正面図
【図７】同水抜きパイプ用透水材テープ使用例を示す側面図
【考案を実施するための形態】
【０００７】
以下本発明の具体例を詳細に説明する。本発明の実施形態である水抜きパイプ用透水材固定テープＡは、図１に示すように長方形の中央に円形の切り取り部Ｂを設けた水抜パイプ用透水材固定テープＡである。前記テープは、図７に示すようにコンクリート等の擁壁Ｇに強固に固定できるだけの強粘着力を持たせた水抜きパイプ用透水材固定テープＡであって、図４に示す水抜きパイプの透水材を、擁壁Ｇの水抜きパイプＦの内径に勘合させて使用する水抜パイプ用透水材の水抜パイプ用透水材固定テープＡである。本考案の水抜パイプ用透水材固定テープＡは、図４に示す水抜パイプ用透水材Ｄの外周の形状に合わせた円形の切り抜き部Ｂを中央に施した強粘着性を有する水抜きパイプ用透水材固定テープＡである。前記水抜パイプ用透水材は、図５に示すようにカンカン帽型に射出形成した樹脂製ネット状の天辺部Ｄと本体とツバ部分から成り、その凹み部分（Ｄの内側）に不織布型透水マットＥを挿入複合した二重構造からなる水抜きパイプ用透水材のツバ部分Ｃを図６に示すように本考案の長方形の粘着テープ面中央に貼り付けた後、図７に示すように前記カンカン帽天辺部Ｄを水抜きパイプＦの内径に嵌め込み、残りの粘着部分Ａを擁壁（コンクリート壁等）Ｇに直接貼り付け強固に固定する。
この時、水抜きパイプ用透水材固定テープＡの中央の円形の切り取り部Ｂを前記凹み部（Ｄの内側）に一致させる事で擁壁の水抜きパイプＦのパイプ孔を塞ぐ事無く目詰まり防止できることから、土砂流出防止の為の透水効果・防砂効果を損なうことなく、短時間の作業で取り付け完了でき、確実に固定したまま水抜きパイプの裏込処理施工を完了できる。
【産業上の利用可能性】
【０００８】
本発明は、はコンクリート擁壁をはじめ、ブロック積・石積擁壁・プレキャストＬ型コンクリート擁壁・コンクリート吹き付け工事等のすべての水抜きパイプ、或いは有孔管、その他の配水管の端末材として利用される目詰まり防止の為の水抜き用パイプ用透水材固定の為に幅広く利用できる。
【符号の説明】
【０００９】
Ａ  水抜きパイプ用透水材固定テープ
Ｂ  円形切り抜き部分
Ｃ  水抜きパイプ用透水材ツバ部
Ｄ  水抜きパイプ用透水材天辺部(ネット状)
Ｅ  不織透水フィルター
Ｆ  水抜きパイプ
Ｇ  コンクリート擁壁部
【図１】
0003171014.tif 000003
【図２】
0003171014.tif 000004
【図３】
0003171014.tif 000005
【図４】
0003171014.tif 000006
【図５】
0003171014.tif 000007
【図６】
0003171014.tif 000008
【図７】
0003171014.tif 000009
【手続補正書】
【提出日】平成23年8月5日(2011.8.5)
【手続補正１】
【補正対象書類名】実用新案登録請求の範囲
【補正対象項目名】全文
【補正方法】変更
【補正の内容】
【実用新案登録請求の範囲】
【請求項１】
擁壁中の水抜きパイプに用いる水抜きパイプ用透水材と、前記擁壁に前記水抜きパイプ用透水材を固定する為に設けられたテープとを有し、前記テープは前記水抜きパイプ用透水材を介して前記擁壁と前記水抜きパイプとを連通する切り取り部を備えたことを特徴とする水抜きパイプ用透水材装置。